【手続補正書】
【提出日】平成19年1月5日(2007.1.5)
【手続補正１】
【補正対象書類名】特許請求の範囲
【補正対象項目名】全文
【補正方法】変更
【補正の内容】
【特許請求の範囲】
【請求項１】
スラリーをろ過するためのフィルタプレス装置と，前記フィルタプレス装置に設けられたフィルタプレートと，スラリーをろ過した後のケークを乾燥処理するために必要な熱を提供する熱源と，前記ケークの乾燥処理中に前記ケーク中の水分の蒸発温度を下げるための真空手段と，前記ケークの乾燥処理中に前記熱源により加熱された前記ケークから発生する水蒸気を吸引する水蒸気吸引手段と，を備えたフィルタプレス装置において，
前記フィルタプレス装置は，さらに，
前記ケークの乾燥処理中に前記ケークの温度を測定するケーク温度測定手段と，
予め設定されたケーク乾燥度とケーク温度との相関データに基づいて，ケークの目標乾燥度に対応する所定のケーク目標温度を設定するケーク目標温度設定手段と，
前記ケーク温度測定手段により測定されたケーク温度が，前記所定のケーク目標温度に到達した場合に，前記ケークの乾燥処理を終了する制御手段と，
を有することを特徴とするフィルタプレス装置。
【請求項２】
スラリーをろ過するためのフィルタプレス装置と，前記フィルタプレス装置に設けられたフィルタプレートと，スラリーをろ過した後のケークを乾燥処理するために必要な熱を提供する熱源と，前記ケークの乾燥処理中に前記ケーク中の水分の蒸発温度を下げるための真空手段と，前記ケークの乾燥処理中に前記熱源により加熱された前記ケークから発生する水蒸気を吸引する水蒸気吸引手段と，を備えたフィルタプレス装置において，
前記フィルタプレス装置は，さらに，
前記ケークの乾燥処理中に前記水蒸気吸引手段が吸引したケークからの水蒸気をドレン化するコンデンサと，
前記コンデンサ内で補捉されたドレン量を経時的に測定するドレン量測定手段と，
前記ドレン量測定手段により経時的に測定されたドレン量に基づいて，所定時間におけるドレン量の変化量を算出するドレン変化量算出手段と，
予め設定されたケーク乾燥度とドレン変化量との相関データに基づいて，前記ケークの目標乾燥度に対応する所定の目標ドレン変化量を設定する目標ドレン変化量設定手段と，
前記ドレン変化量算出手段により算出されたドレン変化量が，前記所定の目標ドレン変化量に到達した場合に，前記ケークの乾燥処理を終了する制御手段と，
を有することを特徴とするフィルタプレス装置。
【請求項３】
スラリーをろ過するためのフィルタプレス装置と，前記フィルタプレス装置に設けられたフィルタプレートと，スラリーをろ過した後のケークを乾燥処理するために必要な熱を提供する熱源と，前記ケークの乾燥処理中に前記ケーク中の水分の蒸発温度を下げるための真空手段と，前記ケークの乾燥処理中に前記熱源により加熱された前記ケークから発生する水蒸気を吸引する水蒸気吸引手段と，を備えたフィルタプレス装置において，
前記フィルタプレス装置は，さらに，
前記ケークの乾燥処理中に前記ケークの温度を測定するケーク温度測定手段と，
予め設定されたケーク乾燥度とケーク温度との相関データに基づいて，ケークの目標乾燥度に対応する所定のケーク目標温度を設定するケーク目標温度設定手段と，
前記ケークの乾燥処理中に前記水蒸気吸引手段が吸引したケークからの水蒸気をドレン化するコンデンサと，
前記コンデンサ内で補捉されたドレン量を経時的に測定するドレン量測定手段と，
前記ドレン量測定手段により経時的に測定されたドレン量に基づいて，所定時間におけるドレン量の変化量を算出するドレン変化量算出手段と，
予め設定されたケーク乾燥度とドレン変化量との相関データに基づいて，前記ケークの目標乾燥度に対応する所定の目標ドレン変化量を設定する目標ドレン変化量設定手段と，
前記ケークの乾燥度の指標として，前記所定のケーク目標温度及び前記所定の目標ドレン変化量の双方が設定された場合に，前記ケーク温度測定手段により測定されたケーク温度が前記所定のケーク目標温度に到達し，かつ前記ドレン変化量算出手段により算出されたドレン変化量が前記所定の目標ドレン変化量に到達した場合に前記ケークの乾燥処理を終了する，制御手段と，
を有することを特徴とするフィルタプレス装置。
【請求項４】
前記ケーク乾燥度とケーク温度との相関データ，あるいは前記ケーク乾燥度とドレン変化量との相関データは，前記フィルタプレス装置の予備運転において取得される，ことを特徴とする請求項１，２あるいは３項のうちいずれか１項に記載のフィルタプレス装置。
【請求項５】
前記制御手段には，各種ケーク乾燥処理条件応じた，複数のケーク乾燥度とケーク温度との相関データ，あるいは複数のケーク乾燥度とドレン変化量との相関データが格納されており，
前記制御装置は，各種ケーク乾燥処理条件に応じて，好適なケーク乾燥度とケーク温度との相関データ，あるいは好適なケーク乾燥度とドレン変化量との相関データを選択する，
ことを特徴とする請求項４に記載のフィルタプレス装置。
【請求項６】
前記ケーク温度値として，
前記フィルタプレス装置のＮ個のチャンバのうち任意のＫ個のチャンバ内のケーク温度（Ｔｃ１，Ｔｃ２，Ｔｃ３・・・・ＴｃＫ）を相加平均して求られた値，即ち，
ＴｃＭ＝（Ｔｃ１＋Ｔｃ２＋Ｔｃ３＋・・・＋ＴｃＫ）／Ｋ
の式により算出された値（ＴｃＭ）が使用される，
ことを特徴とする請求項１，２，３，４あるいは５項のうちいずれか１項に記載のフィルタプレス装置。
【請求項７】
前記ケーク温度値として，
前記フィルタプレス装置のＮ個のチャンバのうち任意のＫ個のチャンバ内のケーク温度（Ｔｃ１，Ｔｃ２，Ｔｃ３・・・・ＴｃＫ）を相乗平均して求られた値，即ち，
ＴｃＭ’＝（Ｔｃ１＊Ｔｃ２＊Ｔｃ３＊・・・＊ＴｃＫ）１／Ｋ
の式により算出された値（ＴｃＭ’）が使用される，
ことを特徴とする請求項１，２，３，４あるいは５項のうちいずれか１項に記載のフィルタプレス装置。
【請求項８】
前記ケーク温度の測定箇所は，前記ケーク縁端部から起算して，前記ケークの中心部から前記縁端部までの距離の５〜５０％以内の範囲にある，
ことを特徴とする請求項１，２，３，４，５，６あるいは７項のうちいずれか１項に記載のフィルタプレス装置。
【請求項９】
前記水蒸気吸引手段と前記真空手段とは、兼用されることを特徴とする，請求項１，２，３，４，５，６，７あるいは８項のうちいずれか１項に記載のフィルタプレス装置。
【請求項１０】
スラリーをろ過するためのフィルタプレス装置と，前記フィルタプレス装置に設けられたフィルタプレートと，スラリーをろ過した後のケークを乾燥処理するために必要な熱を提供する熱源と，前記ケークの乾燥処理中に前記ケーク中の水分の蒸発温度を下げるための真空手段と，前記ケークの乾燥処理中に前記熱源により加熱された前記ケークから発生する水蒸気を吸引する水蒸気吸引手段と，を備えたフィルタプレス装置において，
ケーク温度測定手段は，前記ケークの乾燥処理中に前記ケークの温度を測定し，
ケーク目標温度設定手段は，予め設定されたケーク乾燥度とケーク温度との相関データに基づいて，ケークの目標乾燥度に対応する所定のケーク目標温度を設定し，
制御手段は，前記ケーク温度測定手段により測定されたケーク温度が前記所定のケーク目標温度に到達した場合に，前記ケークの乾燥処理を終了する，
ことを特徴とするフィルタプレス装置の運転方法。
【請求項１１】
スラリーをろ過するためのフィルタプレス装置と，前記フィルタプレス装置に設けられたフィルタプレートと，スラリーをろ過した後のケークを乾燥処理するために必要な熱を提供する熱源と，前記ケークの乾燥処理中に前記ケーク中の水分の蒸発温度を下げるための真空手段と，前記ケークの乾燥処理中に前記熱源により加熱された前記ケークから発生する水蒸気を吸引する水蒸気吸引手段と，を備えたフィルタプレス装置において，
コンデンサは，前記ケークの乾燥処理中に前記水蒸気吸引手段が吸引したケークからの水蒸気をドレン化し，
ドレン量測定手段は，コンデンサ内で補捉されたドレン量を経時的に測定し，
ドレン変化量算出手段は，前記ドレン量測定手段により経時的に測定されたドレン量に基づいて，所定時間におけるドレン量の変化量を算出し，
目標ドレン変化量設定手段は，予め設定されたケーク乾燥度とドレン変化量との相関データに基づいて，前記ケークの目標乾燥度に対応する所定の目標ドレン変化量を設定し，
制御手段は，前記ドレン変化量算出手段により算出されたドレン変化量が，前記所定の目標ドレン変化量に到達した場合に，前記ケークの乾燥処理を終了する
ことを特徴とするフィルタプレス装置の運転方法。
【請求項１２】
スラリーをろ過するためのフィルタプレス装置と，前記フィルタプレス装置に設けられたフィルタプレートと，スラリーをろ過した後のケークを乾燥処理するために必要な熱を提供する熱源と，前記ケークの乾燥処理中に前記ケーク中の水分の蒸発温度を下げるための真空手段と，前記ケークの乾燥処理中に前記熱源により加熱された前記ケークから発生する水蒸気を吸引する水蒸気吸引手段と，を備えたフィルタプレス装置において，
ケーク温度測定手段は，前記ケークの乾燥処理中に前記ケークの温度を測定し，
ケーク目標温度設定手段は，予め設定されたケーク乾燥度とケーク温度との相関データに基づいて，ケークの目標乾燥度に対応する所定のケーク目標温度を設定し，
コンデンサは，前記ケークの乾燥処理中に前記水蒸気吸引手段が吸引したケークからの水蒸気をドレン化し，
ドレン量測定手段は，前記コンデンサ内で補捉されたドレン量を経時的に測定し，
ドレン変化量算出手段は，前記ドレン量測定手段により経時的に測定されたドレン量に基づいて，所定時間におけるドレン量の変化量を算出し，
目標ドレン変化量設定手段は，予め設定されたケーク乾燥度とドレン変化量との相関データに基づいて，前記ケークの目標乾燥度に対応する所定の目標ドレン変化量を設定し，
制御手段は，前記ケークの乾燥度の指標として，前記所定のケーク目標温度及び前記所定の目標ドレン変化量の双方が設定された場合に，前記ケーク温度測定手段により測定されたケーク温度が前記所定のケーク目標温度に到達し，かつ前記ドレン変化量算出手段により算出されたドレン変化量が前記所定の目標ドレン変化量に到達した場合に，前記ケークの乾燥処理を終了する，
ことを特徴とするフィルタプレス装置の運転方法。
【請求項１３】
前記ケーク乾燥度とケーク温度との相関データ，あるいは前記ケーク乾燥度とドレン変化量との相関データは，前記フィルタプレス装置の予備運転において取得される，ことを特徴とする請求項１０，１１あるいは１２項のうちいずれか１項に記載のフィルタプレス装置の運転方法。
【請求項１４】
前記制御手段には，各種ケーク乾燥処理条件応じた，複数のケーク乾燥度とケーク温度との相関データ，あるいは複数のケーク乾燥度とドレン変化量との相関データが格納されており，
前記制御装置は，各種ケーク乾燥処理条件に応じて，好適なケーク乾燥度とケーク温度との相関データ，あるいは好適なケーク乾燥度とドレン変化量との相関データを選択する，
ことを特徴とする請求項１３に記載のフィルタプレス装置の運転方法。
【請求項１５】
前記ケーク温度値として，
前記フィルタプレス装置のＮ個のチャンバのうち任意のＫ個のチャンバ内のケーク温度（Ｔｃ１，Ｔｃ２，Ｔｃ３・・・・ＴｃＫ）を相加平均して求られた値，即ち，
ＴｃＭ＝（Ｔｃ１＋Ｔｃ２＋Ｔｃ３＋・・・＋ＴｃＫ）／Ｋ
の式により算出された値（ＴｃＭ）が使用される，
ことを特徴とする請求項１０，１１，１２，１３あるいは１４項のうちいずれか１項に記載のフィルタプレス装置の運転方法。
【請求項１６】
前記ケーク温度値として，
前記フィルタプレス装置のＮ個のチャンバのうち任意のＫ個のチャンバ内のケーク温度（Ｔｃ１，Ｔｃ２，Ｔｃ３・・・・ＴｃＫ）を相乗平均して求られた値，即ち，
ＴｃＭ’＝（Ｔｃ１＊Ｔｃ２＊Ｔｃ３＊・・・＊ＴｃＫ）１／Ｋ
の式により算出された値（ＴｃＭ’）が使用される，
ことを特徴とする請求項１０，１１，１２，１３あるいは１４項のうちいずれか１項に記載のフィルタプレス装置の運転方法。
【請求項１７】
前記ケーク温度の測定箇所は，前記ケーク縁端部から起算して，前記ケークの中心部から前記縁端部までの距離の５〜５０％以内の範囲にある，
ことを特徴とする請求項１０，１１，１２，１３，１４，１５あるいは１６項のうちいずれか１項に記載のフィルタプレス装置の運転方法。
【請求項１８】
前記水蒸気吸引手段と前記真空手段とは、兼用されることを特徴とする，請求項１０，１１，１２，１３，１４，１５，１６あるいは１７項のうちいずれか１項に記載のフィルタプレス装置の運転方法。
【手続補正２】
【補正対象書類名】明細書
【補正対象項目名】００３１
【補正方法】変更
【補正の内容】
【００３１】
（第１の実施の形態）
まず，図１〜図６に基づいて，第１の実施の形態にかかるフィルタプレス装置１の構成について説明する。なお，図１は，本実施形態にかかるフィルタプレス装置の概略外形・配置を示す側面図である。図２は，本実施形態にかかるフィルタプレス装置の構成を説明するための説明図である。本実施形態にかかるフィルタプレス装置１には，従来と異なり，ケーク温度を直接測温するための熱電対，測温抵抗体７０がフィルタプレート３内に取り付けられており，さらに，ドレン量を検量するための検量計６１が取り付けられている。
【手続補正３】
【補正対象書類名】明細書
【補正対象項目名】００４１
【補正方法】変更
【補正の内容】
【００４１】
さらに，本実施形態にかかる制御装置４４は，従来と異なり，フィルタプレートに設置された熱電対，測温抵抗体により測温されたケーク乾燥処理における温度データが入力される共に，当該温度データが予め設定された所定のケーク目標温度に達したときに，ケークの乾燥処理を終了するように制御することができる。また，上記制御装置４４には，ドレン配管に設けられた検量計のからのドレン量データが経時的に入力されると共に，ドレン量データに基づいてドレン変化量を算出し，フィルタプレス装置から排出されるドレン量の変化量が予め設定された目標ドレン変化量以下になった場合に，ケークの乾燥処理を終了するように制御することができる。なお，かかるドレン変化量データは，上記ケーク温度データと合わせて効果的なデータとして使用される。
【手続補正４】
【補正対象書類名】明細書
【補正対象項目名】００４３
【補正方法】変更
【補正の内容】
【００４３】
まず，図３に示すように，本実施形態にかかるフィルタプレス装置１には，従来と異なり，ケーク乾燥処理においてフィルタプレート３内のケーク温度を測温するための熱電対，測温抵抗体７０が配置されている。かかる熱電対，測温抵抗体により測温された温度データは，温度計７１を介して制御装置４４に入力される共に，当該温度データが予め設定された所定のケーク目標温度に達したときに，ケークの乾燥処理を終了するように制御される。
【手続補正５】
【補正対象書類名】明細書
【補正対象項目名】００５８
【補正方法】変更
【補正の内容】
【００５８】
なお，ケーク温度の測温箇所は，図６に示すように，ケーク縁端部から起算して，ケークの中心部から縁端部までの距離の５〜５０％以内の範囲にあることが好ましい。即ち，５％以下であるとケーク縁端部付近の温度を測定することになるため，ケーク温度を正確に測定することができないので好ましくない。一方，５０％以上であると，フィルタプレート内を流れるスラリー（又はろ液）の圧力により，熱電対，測温抵抗体などの温度センサが押し流されて変形が生じ不適当な箇所に偏在したり，あるいは破損する恐れがあるので好ましくない。また，熱電対，測温抵抗体の直径は，０．２ｍｍ〜５ｍｍの範囲にあるのが好ましい。０．２ｍｍ以下であると強度が十分ではなく，５ｍｍ以上であると，フィルタプレート内に挿入するのが困難であるからである。
【手続補正６】
【補正対象書類名】明細書
【補正対象項目名】００６０
【補正方法】変更
【補正の内容】
【００６０】
本実施形態にかかる制御装置４４は，従来と異なり，フィルタプレートに設置された熱電対，測温抵抗体により測温されたケーク乾燥処理における温度データが入力される共に，当該温度データが予め設定された所定のケーク目標温度に達したときに，ケークの乾燥処理を終了するように制御することができる。例えば，制御装置内には，予め設定されたケーク乾燥度とケーク温度との相関データが格納されており，ケーク温度を測温することで乾燥処理におけるケーク乾燥度を把握することができる。なお，かかるケーク乾燥度とケーク温度との相関データは，ケーク種類，ケーク組成比，ケーク粘性度などの各種条件に応じて複数の相関データが格納されるのが好ましい。このことにより，ケーク乾燥度をより正確に把握することができる。
【手続補正７】
【補正対象書類名】明細書
【補正対象項目名】００６７
【補正方法】変更
【補正の内容】
【００６７】
例えば，上記実施形態においては，熱電対，測温抵抗体を用いた例を挙げて説明したが，かかる例には限定されない。チャンバ内のケーク温度を測定可能であれば，あらゆる温度測定器を使用することができる。
【手続補正８】
【補正対象書類名】明細書
【補正対象項目名】００７６
【補正方法】変更
【補正の内容】
【００７６】
１  フィルタプレス装置
３  フィルタプレート
３３ａ  排気ライン
４１  真空ポンプ
４４  制御装置
５０  フィルタケーク
６０  コンデンサ
６１  検量計
７０  熱電対，測温抵抗体
７１  温度計